(57)【要約】【課題】前後側面板とフレームとの組み立て、精度よく、簡易で安価にできる画像形成装置の構造筐体を提供することを課題とする。【解決手段】前側板１６とフレーム枠１２、１３、１４、１５とを組立てた前面パネル５と、後側板２０とフレーム枠１７、１８、１９とを組立てた後面パネル６と、組立て基準となる底面パネル１と、前後のパネルのスパンを決めるフレーム材７、８とで構成されることを特徴とする。また、前側板１６および後側板２０に設けた基準位置にフレーム枠を取付けることを特徴とする。また、前側板１６および後側板２０の辺を曲げ加工して、前側面とフレーム枠とを、後側面とフレームとを一体化とすることを特徴とする。【選択図】図２
2005092025.tif 000002
【特許請求の範囲】
【請求項１】
前側板とフレーム枠とを組立てた前面パネルと、後側板とフレーム枠とを組立てた後面パネルと、組立て基準となる底面パネルと、前後のパネルのスパンを決めるフレーム材とで構成されることを特徴とする画像形成装置の溶接構造筐体。
【請求項２】
前側板および後側板に設けた基準位置にフレーム枠を取付けることを特徴とする請求項１に記載の画像形成装置の溶接構造筐体。
【請求項３】
前側板および後側板の辺を曲げ加工して、前側面とフレーム枠とを、後側面とフレームとを一体化とすることを特徴とする請求項１に記載の画像形成装置の溶接構造筐体。
【請求項４】
請求項１ないし３のいずれかに記載の溶接構造筐体を有することを特徴とする画像形成装置。
【発明の詳細な説明】
【技術分野】
【０００１】
本発明は、電子写真プロセスを用いる複写機、プリンタ、ファクシミリ等の画像形成装置の構造筐体に関する。
【背景技術】
【０００２】
従来の実施例を図１に示す。
従来の溶接構造筐体は、底板パネル１にフレーム枠２を組立て、溶接治具で押えて溶接される。その後、フレーム枠２に製品機能部品を装着するための前側板３ａ、３ｂ、３ｃと後側板４が組付けられる。しかし、この溶接治具は三方向からバランス良く押える必要がり、３次元空間で精度を上げるのは難しく、歪みＡが発生しやすいものであった。また、溶接治具も高性能なものが必要であった。また、特許文献１に記載されているように、接合部材を用いて接合しているものもある。
【０００３】
【特許文献１】特開２００３−６６６７０号公報
【発明の開示】
【発明が解決しようとする課題】
【０００４】
上記問題点に鑑み、本発明は、前後側面板とフレームとの組み立てが、精度よく、簡易で安価にできる画像形成装置の構造筐体を提供することを課題とする。
【課題を解決するための手段】
【０００５】
上記課題を解決するために、請求項１に記載の本発明は、前側板とフレーム枠とを組立てた前面パネルと、後側板とフレーム枠とを組立てた後面パネルと、組立て基準となる底面パネルと、前後のパネルのスパンを決めるフレーム材とで構成されることを特徴とする画像形成装置の溶接構造筐体である。
請求項２に記載の本発明は、前側板および後側板に設けた基準位置にフレーム枠を取付けることを特徴とする請求項１に記載の画像形成装置の溶接構造筐体である。
請求項３に記載の本発明は、前側板および後側板の辺を曲げ加工して、前側面とフレーム枠とを、後側面とフレームとを一体化とすることを特徴とする請求項１に記載の画像形成装置の溶接構造筐体である。
請求項４に記載の本発明は、請求項１ないし３のいずれかに記載の溶接構造筐体を有することを特徴とする画像形成装置である。
【発明の効果】
【０００６】
本発明により、各面のパネルごとに分割されているので、各パネルの精度出しが容易になり、各パネルの組合せで構造筐体が構成でき、組立が容易な画像形成装置の構造筐体を提供することが可能となる。
また、一体平面を持つ側板面に締結基準を設けるため、高精度に枠フレームを結合でき、歪みの少ない前面パネル及び後面パネルが構成でき、組立が容易な画像形成装置の構造筐体を提供することが可能となる。
また、側板からの曲げが枠フレームとしての強度を持つため、枠フレーム数を減らし、コスト低減及び組立性の向上が実現できる画像形成装置の構造筐体を提供することが可能となる。
【発明を実施するための最良の形態】
【０００７】
本発明の実施例を図に基づいて説明する。
図１は、従来技術に基づく実施例である。説明は既にしているのでここでは省略する。
図２は、本発明の実施例１を示す図である。図３は、図２の実施例１の組み立て完成図である。
図２に示すように、底板パネル１、前フレーム枠１２、１３、１４、１５と前側板１６を組合わせた前面パネル５、後フレーム枠１７、１８、１９と後側板２０を組合わせた後面パネル６、左フレーム７、右フレーム８で構成されている。前面パネル５及び後面パネル６は先に組立てる。板状に近似しているため、２次元方向の精度出しのみで組立てられ、精度の良い組立てが出来る。次に、組立て基準となる底板パネルに前面パネル５および後面パネル６を取り付ける。さらに、前後のパネル５、６のスパンである間隔（奥行き）は、フレーム材である左フレーム７、右フレーム８を取り付けることにより決まる。精度良く組まれた部品を合わせて構造筐体を組付けるため、歪みの少ないこう溶接構造筐体を構成することができる。また、構築された板状パネルを合わせて筐体とするため、組立てが容易である。溶接治具も簡易的なものとすることが出来る。図３は組立て完成図である。
【０００８】
図４は、本発明の実施例２の前面パネルを示す図である。
図４の前面パネルで説明する。前側板１６の基準穴４１、４２に左前フレーム１２の基準ピン３１、３２を嵌合し、基準穴４３、４４に右前フレーム１３の基準ピン３３、３４を嵌合して組立てる。最後に上前フレーム１４を組立てる。基準穴４１、４２、４３は、一体の平面で構成された前側板１６上にあるため、位置寸法及び中心線ａと中心線ｂの平行度、中心線ａと中心線ｃの直角度を精度良く管理することが出来る。従って、左前フレーム１２及び右前フレーム１３の位置は高精度に組まれ、前面パネルは歪みのないものとなる。尚、基準穴と基準ピンは反対側部品にあっても良い。
図５は、本発明の実施例２の後面パネルを示す図である。前面パネルと同様であるため説明を省略する。
【０００９】
図６は、実施例３で、前側板１６ａの上側にＬ曲げ１６ｂを設けた図である。前側板１６ａの上側にＬ曲げ１６ｂを設けフレーム枠の一部としている。これにより上前フレームは廃止できる。前側板にフレーム枠が一体化して、コスト低減及び組立性が向上する。
図７は、実施例３で、後側板２０ａの上側にＵ曲げ２０ｂを設けフレーム枠の一部とした実施例である。
本発明に係る溶接構造筐体は、実施例の一例として、画像形成装置の構造筐体として使用することができる。
【図面の簡単な説明】
【００１０】
【図１】従来技術に基づく実施例である。
【図２】本発明の実施例１を示す図である。
【図３】実施例１の組み立て完成図である。
【図４】本発明の実施例２の前面パネルを示す図である。
【図５】本発明の実施例２の後面パネルを示す図である。
【図６】本発明の実施例３で、前側板１６ａの上側にＬ曲げ１６ｂを設けた図である。
【図７】本発明の実施例３で、後側板２０ａの上側にＵ曲げ２０ｂを設け図である。
【符号の説明】
【００１１】
１  底板パネル
２  フレーム枠
３  前側板
４  後側板
５  前面パネル
６  後面パネル
７  左フレーム
８  右フレーム
１２、１３、１４、１５  前フレーム枠
１６  前側板
１６ａ  前側板の上側
１６ｂ  Ｌ曲げ
１７、１８、１９  後フレーム枠
２０  後側板
２０ａ  後側板
２０ｂ  Ｕ曲げ
３１、３２、３３、３４  基準ピン
４１、４２、４３、４４  基準穴
Ａ  歪み
ａ  中心線
ｂ  中心線の平行度
ｃ  中心線の直角度
【図１】
2005092025.tif 000003
【図２】
2005092025.tif 000004
【図３】
2005092025.tif 000005
【図４】
2005092025.tif 000006
【図５】
2005092025.tif 000007
【図６】
2005092025.tif 000008
【図７】
2005092025.tif 000009